【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
デバイスであって、
前記デバイスによって与えられるアパーチャを通して送信または受信するように構成された第１のアンテナと、および
前記アパーチャを通して送信または受信するように構成された複数のアンテナ要素のアレイを含む第２のアンテナと、前記複数のアンテナ要素は前記第１のアンテナの少なくとも一部分に重なる、
ここにおいて、前記第１のアンテナは、蛇行要素を有する蛇行反転Ｆアンテナ（ＭＩＦＡ）として構成され、および前記複数のアンテナ要素は、前記蛇行要素に重なる、
ここにおいて、前記第２のアンテナは、前記複数のアンテナ要素のうちのそれぞれのアンテナ要素に各々結合されたアレイ導体をさらに備え、ここにおいて、前記アレイ導体は、前記蛇行要素に沿って配設され、およびトランシーバから、またはトランシーバに、それぞれ、送信に関する信号、または前記複数のアンテナ要素によって受信される信号を伝達するために、前記複数のアンテナ要素に結合される、
を備えるデバイス。
【請求項２】
前記第１のアンテナは、１０ＧＨｚを下回る第１の帯域中で送信または受信するように構成され、および前記第２のアンテナは、２０ＧＨｚを上回る第２の帯域中で送信または受信するように構成された、請求項１に記載のデバイス。
【請求項３】
前記第１の帯域は、約２．４ＧＨｚ、１．５ＧＨｚ、または５ＧＨｚである、請求項２に記載のデバイス。
【請求項４】
前記第２の帯域は、約２８ＧＨｚまたは６０ＧＨｚである、請求項２に記載のデバイス。
【請求項５】
前記第１のアンテナおよび前記複数のアンテナ要素は、共通の基板の導電層上に配設された、請求項１に記載のデバイス。
【請求項６】
前記第２のアンテナは、前記第１のアンテナの上にあるプリント回路板を備える、請求項１に記載のデバイス。
【請求項７】
前記複数のアンテナ要素は、前記第１のアンテナ上に印刷されたアレイを備える、請求項１に記載のデバイス。
【請求項８】
前記第１のアンテナは接地接続経路を含み、および前記第２のアンテナは、前記接地接続経路に重なる複数の導体を備える、請求項１に記載のデバイス。
【請求項９】
前記アレイ導体の各々の全体は、前記蛇行要素に重なる、請求項１に記載のデバイス。
【請求項１０】
方法であって、
デバイス中の第１のアンテナを使用して、前記デバイスのアパーチャを通して第１のワイヤレス信号を受信または送信することと、前記第１のアンテナは、蛇行要素を有する蛇行反転Ｆアンテナ（ＭＩＦＡ）を備える、
前記第１のアンテナの少なくとも一部分に重なる複数のアンテナ要素のアレイを含む第２のアンテナを使用して、前記アパーチャを通して第２のワイヤレス信号を受信または送信することと、および
前記蛇行要素に沿って配設され、および前記蛇行要素に重なるアレイ導体によって、前記第２のアンテナにトランシーバから、または前記第２のアンテナからトランシーバに、それぞれ、前記第２のワイヤレス信号に対応する第３の信号を伝達することと
を備える方法。
【請求項１１】
前記第２のアンテナを使用して前記受信または送信することは、前記複数のアンテナ要素のうちの２つまたはそれ以上のアンテナ要素を使用して、約２８ＧＨｚまたは６０ＧＨｚにおいて前記第２のワイヤレス信号を受信または送信することを備える、請求項９に記載の方法。
【請求項１２】
前記第１のアンテナを使用して前記受信または送信することは、約２．４ＧＨｚ、１．５ＧＨｚ、または５ＧＨｚにおいて前記第１のワイヤレス信号を受信または送信することを備える、請求項１０に記載の方法。
【請求項１３】
前記アレイ導体の各々の全体は、前記蛇行要素に重なる、請求項１０に記載のデバイス。
【手続補正２】
【補正対象書類名】明細書
【補正対象項目名】００４１
【補正方法】変更
【補正の内容】
【００４１】
[0050]開示される例示的な実施形態の上記の記述は、いずれかの当業者が本発明を作成または使用することを可能にするために与えられる。これらの例示的な実施形態への様々な修正は当業者には容易に明らかであり、および本明細書で定義された一般原理は、本発明の趣旨または範囲から逸脱することなく他の実施形態に適用され得る。したがって、本発明は、本明細書に示された例示的な実施形態に限定されるものではなく、しかしながら本明細書で開示される原理および新規の特徴と一致する最も広い範囲を与えられるべきある。
以下に本願の出願当初の特許請求の範囲に記載された発明を付記する。
［Ｃ１］
デバイスであって、
前記デバイスによって与えられるアパーチャを通して送信または受信するように構成された第１のアンテナと、および
前記アパーチャを通して送信または受信するように構成された複数のアンテナ要素のアレイを含む第２のアンテナと、前記複数のアンテナ要素は前記第１のアンテナの少なくとも一部分に重なる、
を備えるデバイス。
［Ｃ２］
前記第１のアンテナは、１０ＧＨｚを下回る第１の帯域中で送信または受信するように構成され、および前記第２のアンテナは、２０ＧＨｚを上回る第２の帯域中で送信または受信するように構成された、Ｃ１に記載のデバイス。
［Ｃ３］
前記第１の帯域は、約２．４ＧＨｚ、１．５ＧＨｚ、または５ＧＨｚである、Ｃ２に記載のデバイス。
［Ｃ４］
前記第２の帯域は、約２８ＧＨｚまたは６０ＧＨｚである、Ｃ２に記載のデバイス。
［Ｃ５］
前記第１のアンテナは、蛇行要素を有する蛇行反転Ｆアンテナ（ＭＩＦＡ）として構成され、および前記複数のアンテナ要素は前記蛇行要素に重なる、Ｃ１に記載のデバイス。
［Ｃ６］
前記第２のアンテナは、前記複数のアンテナ要素のうちのそれぞれのアンテナ要素に各々結合されたアレイ導体をさらに備え、ここにおいて、前記アレイ導体は前記蛇行要素に沿って配設された、Ｃ５に記載のデバイス。
［Ｃ７］
前記第１のアンテナおよび前記複数のアンテナ要素は、共通の基板の導電層上に配設された、Ｃ１に記載のデバイス。
［Ｃ８］
前記第２のアンテナは、前記第１のアンテナの上にあるプリント回路板を備える、Ｃ１に記載のデバイス。
［Ｃ９］
前記複数のアンテナ要素は、前記第１のアンテナ上に印刷されたアレイを備える、Ｃ１に記載のデバイス。
［Ｃ１０］
前記第１のアンテナは接地接続経路を含み、および前記第２のアンテナは、前記接地接続経路に重なる複数の導体を備える、Ｃ１に記載のデバイス。
［Ｃ１１］
前記第１のアンテナは、平面反転Ｆアンテナ（ＰＩＦＡ）、蛇行反転Ｆアンテナ（ＭＩＦＡ）、パッチアンテナ、スロットアンテナ、ボウタイアンテナ、ホーンアンテナ、およびノッチアンテナのうちの１つを備える、Ｃ１に記載のデバイス。
［Ｃ１２］
装置であって、
前記装置によって与えられるアパーチャを通して第１の帯域中で送信または受信するための第１の手段と、および
前記アパーチャを通して第２の帯域中で送信または受信するための複数の第２の手段のアレイと、前記第２の手段は前記第１の手段の少なくとも一部分に重なる、
を備える装置。
［Ｃ１３］
前記第１の手段は、１０ＧＨｚを下回る第１の帯域中で送信または受信するように構成され、および前記第２の手段の各々は、２０ＧＨｚを上回る第２の帯域中で送信または受信するように構成された、Ｃ１２に記載の装置。
［Ｃ１４］
前記第１の手段は蛇行要素を含み、および前記複数の第２の手段は前記蛇行要素に重なる、Ｃ１２に記載の装置。
［Ｃ１５］
導通するための複数の手段をさらに備え、導通するための前記手段の各々は、それぞれの第２の手段に結合され、および前記蛇行要素に沿って配設された、Ｃ１４に記載の装置。
［Ｃ１６］
前記第１の手段および前記第２の手段は、共通の基板の導電層上に配設された、Ｃ１２に記載の装置。
［Ｃ１７］
第１の手段を接地平面に結合するための手段と、および前記第２の手段をトランシーバに結合するための手段とをさらに備え、前記第２の手段を前記トランシーバに結合するための前記手段は、前記第１の手段を前記接地平面に結合するための前記手段に重なる、Ｃ１２に記載の装置。
［Ｃ１８］
方法であって、
デバイス中の第１のアンテナを使用して、前記デバイスのアパーチャを通して第１のワイヤレス信号を受信または送信することと、および
前記第１のアンテナの少なくとも一部分に重なる複数のアンテナ要素のアレイを含む第２のアンテナを使用して、前記アパーチャを通して第２のワイヤレス信号を受信または送信することと
を備える方法。
［Ｃ１９］
前記第２のアンテナを使用して前記受信または送信することは、前記複数のアンテナ要素のうちの２つまたはそれ以上のアンテナ要素を使用して、約２８ＧＨｚまたは６０ＧＨｚにおいて前記第２のワイヤレス信号を受信または送信することを備える、Ｃ１８に記載の方法。
［Ｃ２０］
前記第１のアンテナを使用して前記受信または送信することは、約２．４ＧＨｚ、１．５ＧＨｚ、または５ＧＨｚにおいて前記第１のワイヤレス信号を受信または送信することを備える、Ｃ１９に記載の方法。